(57)【要約】【課題】外部からの強い打撃によってもデッドボルトが解錠位置へ後退するおそれのない安全性の高い扉用補助ロック装置を提供する。【解決手段】ロック位置において、回転止め凹凸部７，１０の上下の係合により、固定ベース２とフロントガード３とが直角に固定され、扉１０２の開放が阻止される。錠前ユニット１５の操作でカム１８を施錠位置へ回転させ、デットボルト１４を解放すると、ばね１６の付勢で錠止凹部６に係合し、フロントガード３の上方移動を阻止する。これにより、回転止め凹凸部７，１０の係合解除を不可能にする。デテントボール１９とデテント凹部１８ａとの上下方向の係合により、外部からの打撃によるデッドボルト１４の解錠位置への移動が阻止される。デッドボルト１４が錠止凹部６から外れた解錠位置において、フロントガード３を上方移動させ、回転止め凹凸部７，１０の係合を解き、非ロック位置へ回転できる。【選択図】図６
2014185498.tif 000002
【特許請求の範囲】
【請求項１】
筐体の前面側の開口を開閉できるように、一端側において当該筐体にヒンジ結合される扉を当該扉の閉鎖位置において前方から拘束保持する自動販売機等の扉の補助ロック装置であって、
前記筐体の側面に固着され、当該側面から前方へ突出する一端側の軸受け部と、この軸受け部を垂直に貫通する軸孔と、当該軸受部における筐体の側面に対面する側面に形成される錠止凹部と、当該軸受け部の上面の軸孔周りに形成される回転止め凹部とを有する固定ベースと、
前記固定ベースに対して直角に配置されるロック位置において閉鎖位置にある前記扉の前面に対面し、ロック位置において扉の前面から筐体の側面側へ突出する一端側の軸受け部と、この軸受け部を垂直に貫通し前記固定ベースの軸孔に合致する軸孔と、当該軸受け部の下面の軸孔周りに突設されロック位置において固定ベースの前記係合凹部と上下に嵌合して固定ベースとの軸孔周りの相対回転を阻止し固定ベースに対して上方に移動して上下の嵌合が外れたとき固定ベースとの軸孔周り相対回転を許容する回転止め突部とを有するフロントガードと、
前記固定ベースと前記フロントガードの軸孔に挿入され、かつフロントガードに固定され、フロントガードを固定ベースに対し回転可能、かつ上下動可能に連結する垂直の枢軸と、
前記フロントガードに、錠止位置と解錠位置の間を水平方向に往復移動自在にかつ錠止位置へ付勢されて支持され、錠止位置においてフロントガードがロック位置にあるとき先端が前記固定ベースの錠止凹部に係合してフロントガードの上方移動を阻止するデッドボルトと、
前記フロントガードの下面部に埋め込み固着され、キー操作によりロータを施錠位置と解錠位置へ正逆回転させる錠前ユニットと、
前記錠前ユニットのロータと前記デットボルトとの間に介設され、ロータと一体に施錠位置と解錠位置との間を回転自在で、施錠位置においてデットボルトを解放して付勢力で錠止位置に配置し、解錠位置においてデットボルトを付勢力に抗して解錠位置へ配置するカムとを具備し、
前記デッドボルトは、下方に突出するように付勢されるデテントボールを具備し、
前記カムは、施錠位置において前記デテントボールが係合するデテント凹部を具備し、
前記デテントボールとデテント凹部との上下方向の係合により、外部からの打撃による前記デッドボルトの解錠位置への移動を阻止することを特徴とする自動販売機等の扉の補助ロック装置。
【請求項２】
前記カム１８は、前記フロントガード３の保持凹部２１内に、施錠位置と解錠位置との間を回転自在に保持され、
前記保持凹部２１は、垂直に相対向する一対の側壁２１ａを具備し、
前記カム１８は、前記保持凹部の垂直の両側壁２１ａに当接することにより回転可動範囲を規制する２つの平面を具備し、
前記デテント凹部は、前記カムが施錠位置にあるとき、前記保持凹部の一方の側壁に隣接して、当該側壁との間に前記デテントボールを受け入れるように配置されることを特徴とする請求項１に記載の自動販売機等の扉の補助ロック装置。
【発明の詳細な説明】
【技術分野】
【０００１】
本発明は、自動販売機等の筐体の扉を不法なこじ開けから防護するために使用される扉用の補助ロック装置に関する。
【背景技術】
【０００２】
従来、夜間の監視が行き届かない屋外設置の自動販売機は、内部に相当金額の商品と売上金が格納されているため、盗犯の格好のターゲットにされている。自動販売機には、扉を閉鎖状態で筐体に施錠するロックハンドル装置が扉正面に装着されているが、このロックハンドル装置の錠前ユニットは、ピッキング用具による不正解錠や電動ドリルなどの工具による不正破錠の攻撃を受けている。
このような不正な攻撃に対抗するために、例えば特許文献１に記載された扉用ガード装置が提案されている。この扉用ガード装置は、互いに一端側で枢着される固定ベースとフロントガードとを具備する。固定ベースが筐体の側面に水平に固着される。固定ベースとフロントガードは、互いの延出角度９０°のロック位置において固定され、その状態で、フロントガードが扉の前面に対面して、扉の開放を阻止する。固定ベースとフロントガードは、ロック位置において上下方向に係合して相対回転を阻止する制止受溝と制止突起を具備する。フロントガードは、枢軸と一体に固定ベースに対して上下動自在に構成され、上方に移動させると制止突起が制止受溝から外れて相対回転が可能となる。フロントガードには、固定ベースに対する上方移動を阻止し、ロック位置に鎖錠するデッドボルトと、これを制御する錠前が設けられる。デッドボルトは、水平に往復移動自在で、その先端がベースの錠止凹部に係合する錠止位置にばねで付勢される。したがって、錠前は、デッドボルトを解放した状態で施錠状態となる。
【先行技術文献】
【特許文献】
【０００３】
【特許文献１】特開２００３−２０６６６１号公報
【発明の概要】
【発明が解決しようとする課題】
【０００４】
特許文献１に記載の扉用ガード装置においては、錠前が、デッドボルトを解放した状態で施錠状態となる。このため、施錠状態において、デッドボルトはばねの付勢力のみで、錠止位置に保持されることになる。ところが、この状態で、デッドボルトの動作軸線方向に外部から強い打撃が加えられると、その衝撃で一瞬デッドボルトがばねを圧縮させて、解錠位置へ後退する可能性があり、この間にフロントガードを上方へ移動させ、固定ベースとの係合を外すことが可能となるおそれがある。
したがって、本発明は、外部からの強い打撃によってもデッドボルトが解錠位置へ後退するおそれのない安全性の高い扉用の補助ロック装置を提供することを目的としている。
【課題を解決するための手段】
【０００５】
以下、添付図面の符号を参照して説明するが、本発明はこれに限定されるものではない。
上記課題を解決するための、本発明の扉用補助ロック装置１は、固定ベース２と、フロントガード３とを具備する。固定ベース２は、筐体１０１の側面１０１ａに固着される。フロントガード３は、一端側で固定ベースに枢支され、固定ベース２に対して直角に配置されるロック位置において、閉鎖位置にある扉１０２の前面１０２ａに対面する。固定ベース２は、一端側に軸受け部４を有する。軸受け部４には、これを垂直に貫通する軸孔５と、側面の錠止凹部６と、上面の軸孔５周りの回転止め凹部７とが形成される。フロントガード３は、固定ベース２の軸受け部４に対応する軸受け部８を一端側に有する。この軸受け部８には、これを垂直に貫通し、固定ベースの軸孔５に合致する軸孔９と、下面の軸孔９周りに突設される回転止め突部１０とが形成される。ロック位置において、回転止め突部１０は、固定ベース２の回転止め凹部７と上下に嵌合することにより、フロントガード３の固定ベース２に対する軸孔５，９周りの相対回転を阻止する。フロントガード３が固定ベース２に対して上方に移動したとき、回転止め突部１０と回転止め凹部７との係合が外れ、フロントガード３の固定ベース２に対する軸孔５，９周りの相対回転が可能となる。固定ベース２とフロントガード３の軸孔５，９には、垂直の枢軸１１が挿入される。枢軸１１は、フロントガード３に固定され、フロントガード３を固定ベース２に対し回転可能、かつ上下動可能に連結する。フロントガード３には、デッドボルト１４と、これをキー操作により制御する錠前ユニット１５が設けられる。デッドボルト１４は、錠止位置と解錠位置の間を水平方向に往復移動自在で、ばね１６により錠止位置へ付勢される。フロントガード３がロック位置にあって、デッドボルト１４が、錠止位置にあるとき、デッドボルト１４の先端は固定ベース２の錠止凹部６に係合し、フロントガード３の上方移動を阻止するから、フロントガード３はロック位置に拘束される。カム１８が、錠前ユニット１５のロータ１８とデットボルト１４との間に介設される。カム１８は、ロータ１７と一体に解錠位置と施錠位置との間を往復回転自在で、解錠位置においてデットボルト１４をばね１６の付勢力に抗して解錠位置へ配置し、施錠位置においてデットボルト１４を解放し、ばね１６で錠止位置に配置する。デッドボルト１４は、下方に突出するように付勢されるデテントボール１９を具備する。カム１８は、施錠位置においてデテントボール１９が係合するデテント凹部１８ａを具備する。デテントボール１９とデテント凹部１８ａとの上下方向の係合により、外部からの打撃によるデッドボルト１４の解錠位置への移動を阻止する。
【発明の効果】
【０００６】
本発明においては、デッドボルト１４のデテントボール１９とカム１８のデテント凹部１８ａとが、デッドボルト１４の動作軸線と直交する上下方向に係合することにより、外部からの強い打撃によってもデッドボルト１４が解錠位置へ後退するおそれのない安全性の高い扉用補助ロック装置を提供することができる。
【図面の簡単な説明】
【０００７】
【図１】本発明の一実施例に係る扉用ガード装置の正面図であり、扉のロック状態を示している。
【図２】図１の扉用補助ロック装置のロック状態の平面図である。
【図３】図１の扉用補助ロック装置の右側面図である。
【図４】図１の扉用補助ロック装置の底面図である。
【図５】図１のＶ−Ｖ断面図である。
【図６】図２のＶＩ−ＶＩ断面図である。
【図７】固定ベースの軸受け部の斜視図である。
【図８】フロントガードの軸受け部の斜視図である。
【図９】フロントガードと固定ベースを開いた非ロック状態の正面図である。
【図１０】図２のＸ−Ｘ断面図である。
【図１１】カムとデッドボルトとの関係を示す説明図である。
【発明を実施するための形態】
【０００８】
図面を参照して本発明の実施の形態を説明する。
自動販売機の本体のような筐体１０１には、それの前面側の開口を開閉するための扉１０２が一端側において筐体１０１にヒンジ結合される。本発明に係るロック装置１は、このような扉１０２を閉鎖位置において前方から拘束保持する補助ロック装置であり、一端側において互いに枢支される固定ベース２とフロントガード３とを具備する。
【０００９】
固定ベース２は、筐体１０１の側面１０１ａに固着され、一端側には、筐体１０１の側面１０１ａから前方へ突出する軸受け部４を有する。軸受け部４は、これを垂直に貫通する軸孔５と、錠止凹部６と、回転止め凹部７とを有する。錠止凹部６は、軸受部４における筐体の側面１０１ａに対面する側面に形成される。回転止め凹部７は、軸受け部の軸孔５周りの上面から下方へ落ち込むように平面視扇形に形成される。
【００１０】
フロントガード３は、図２，４，５に示すように、固定ベース２に対して直角に配置されるロック位置において、閉鎖位置にある扉１０２の前面１０２ａに対面する。フロントガード３は、一端側に、扉の前面１０２ａから筐体の側面１０１ａ側へ突出する軸受け部８を有する。軸受け部８には、これを垂直に貫通し、固定ベース２の軸孔５に合致する軸孔９が設けられる。軸受け部８の下面には、軸孔９の周りに回転止め突部１０が突設される。回転止め突部１０は、ロック位置において固定ベース２の回転止め凹部７と上下に嵌合して固定ベース２との軸孔９周りの相対回転を阻止するが、図９に示すように、フロントガード３が固定ベース２に対して上方に移動して回転止め凹部７との上下の嵌合が外れたとき、フロントガード３が固定ベース２に対して軸孔９周り回転するのを許容する。
【００１１】
垂直の枢軸１１が、固定ベース２とフロントガード３の軸孔５，９に挿入され、フロントガード３を固定ベース２に対し回転可能に連結する。枢軸１１は、ピン１２でフロントガード３の軸受け部８に固定され、フロントガード３と一体に固定ベース２に対し上下動可能である。１３は軸カラーである。
【００１２】
フロントガード３には、デッドボルト１４と、これを操作する錠前ユニット１５とが設けられる。
【００１３】
デッドボルト１４は、錠止位置と解錠位置の間を水平方向に往復移動自在にフロントガード３に支持され、ばね１６により、錠止位置へ付勢される。デッドボルト１４は、錠止位置において、フロントガード３がロック位置にあるとき、先端が固定ベース２の錠止凹部６に係合し、フロントガード３の上方移動を阻止し、固定ベース２とフロントガード３とを、互いに直交するロック状態に拘束する。
【００１４】
錠前ユニット１５は、フロントガード３の下面部に埋め込み固着され、キー操作によりロータ１７を施錠位置と解錠位置へ正逆回転させる。
【００１５】
デットボルト１４の係合凹部１４ａに係合するカム１８が、錠前ユニットのロータ１７とデットボルト１４との間に介設される。図１１に示すように、カム１８は、ロータ１７と一体に、施錠位置（図１１Ａ）と解錠位置（図１１Ｃ）との間を回転自在で、施錠位置においてデットボルト１４を解放し、ばね１６の付勢力でデットボルト１４を錠止位置に配置し、解錠位置においてデットボルト１４をばね１６に抗して解錠位置へ配置する。
【００１６】
図１１に示すように、デッドボルト１４には、下方に突出するようにばね２０で付勢されるデテントボール１９が組み込まれる。
【００１７】
カム１８は、施錠位置（図１１Ａ）においてデテントボール１９が係合するデテント凹部１８ａを周縁に具備する。図１０に示すように、カム１８は、円弧状側面８ｃと、それの両端にそれぞれ連続して、一端が集合する２つの垂直平面１８ｄ,１８ｅとを有する概略三角カム型で、上面には、デッドボルト１４の係合凹部１４ａに係合する駆動突起１８ｆを有する。カム１８は、フロントガード３の内部に形成された保持凹部２１内に保持され、２平面１８ｄ,１８ｅが保持凹部の垂直の両側壁２１ａ,２１ｂに当接する範囲で回転自在である。カム１８が施錠位置にあるとき、平面１８ｄが側壁２１ａに当接し、デテント凹部１８ａが、側壁２１ｂに隣接する位置に来るように設定され、デテントボール１９は、デテント凹部１８ａと側壁２１ａとの間に落ち込むように配置される。デテント凹部１８ａには、カム１８の解錠方向（図１０において反時計方向）への回転時にデテントボール１９を押し上げる斜面１８ｂが形成される。したがって、カム１８が施錠位置にあるとき、デッドボルト１４が解錠方向（図１０において右方向）への外力を受けても、デテントボール１９が側壁２１ａに当接して解錠方向への移動を阻止する。
【００１８】
補助ロック装置１がロック状態にあるとき、すなわち図２，４，５に示すように、固定ベース２とフロントガード３とが９０°の相互角度にあるとき、図６に示すように、固定ベース２の回転止め凹部７とフロントガード３の回転止め突部１０とが上下に嵌合するから、両者は９０°の相互角度に固定される。この状態で、錠前ユニット１５が施錠状態にあると、フロントガード３のデッドボルト１４が、固定ベース２の錠止凹部６に係合するから、フロントガード３を固定ベース２に対して上方移動させることができず、したがって、フロントガード３を固定ベース２に対して回転させることができず、ロック装置１はロック位置に錠止される。この状態では、フロントガード３が、扉１０２の前面１０２に対面しているから、扉１０２は閉鎖位置に拘束される。さらに、図１１（Ａ）に示すように、施錠位置において、デッドボルト１４のデテントボール１９がカム１８のデテント凹部１８ａに係合し、デッドボルト１４の解錠方向の移動が阻止される。図１１(Ａ)に示す施錠位置から、図示しないキーの操作で錠前ユニット１５を介してカム１８を解錠方向（図１０において反時計方向）へ回転させると、図１１(Ｂ)に示すように、斜面１８ｂによりデテントボール１９が押し上げられ、さらに図１１(Ｃ)に示すように、デッドボルト１４が解錠位置へ移動して、錠止凹部６から抜ける。この状態で、フロントガード３を上方へ移動させることによって、回転止め凹部７と回転止め突部１０との係合を外せば、フロントガード３を回転させて扉１０２の前面から退避させることができる。
【符号の説明】
【００１９】
１    扉用補助ロック装置
２    固定ベース
３    フロントガード
４    軸受け部
５    軸孔
６    錠止凹部
７    回転止め凹部
８    軸受け部
９    軸孔
１０  回転止め突部
１１  枢軸
１２  ピン
１３  軸カラー
１４  デッドボルト
１５  錠前ユニット
１６  ばね
１７  ロータ
１８  カム
１８ａ  デテント凹部
１８ｂ  斜面
１９  デテントボール
２０  ばね
２１  保持凹部
２１ａ  側壁
１０１  筐体
１０１ａ  筐体の側面
１０２  扉
１０２ａ  扉の前面
【図１】
2014185498.tif 000003
【図２】
2014185498.tif 000004
【図３】
2014185498.tif 000005
【図４】
2014185498.tif 000006
【図５】
2014185498.tif 000007
【図６】
2014185498.tif 000008
【図１０】
2014185498.tif 000009
【図１１】
2014185498.tif 000010
【図７】
2014185498.tif 000011
【図８】
2014185498.tif 000012
【図９】
2014185498.tif 000013